(57)【要約】【課題】魚の視感度に合せて光を放射する。【解決手段】魚を養殖する生簀１に、４００ｎｍ〜５７０ｎｍの範囲において、発光ピーク波長が互いに５ｎｍ以上異なる少なくとも２種類の光を放射する発光素子６ａ，６ｂ，６ｃを備える。【選択図】図１
2013102731.tif 000002
【特許請求の範囲】
【請求項１】
４００ｎｍ〜５７０ｎｍの範囲において、発光ピーク波長が互いに５ｎｍ以上異なる少なくとも２種類の光を放射する少なくとも１つの発光素子を備えることを特徴とする養殖用照明装置。
【請求項２】
上記発光素子は、
４８０ｎｍ〜５２０ｎｍの範囲において、発光ピーク波長が互いに５ｎｍ以上異なる複数の発光ダイオードを含むことを特徴とする請求項１に記載の養殖用照明装置。
【請求項３】
上記発光素子は、
４３０ｎｍ〜５５０ｎｍの範囲において、発光ピーク波長が互いに５ｎｍ以上異なる複数の発光ダイオードを含み、
上記複数の発光ダイオードのうちの少なくとも１つが、５００ｎｍ〜５５０ｎｍの範囲に発光ピーク波長を有する光を放射する発光ダイオードであることを特徴とする請求項１に記載の養殖用照明装置。
【請求項４】
上記複数の発光ダイオードのうち、
少なくとも１つの発光ダイオードは、４３０ｎｍ〜４８０ｎｍの範囲に発光ピーク波長を有する光を放射する第１発光ダイオード群に属し、
残りの発光ダイオードのうちの少なくとも１つの発光ダイオードは、４８０ｎｍ〜５５０ｎｍの範囲に発光ピーク波長を有する光を放射する第２発光ダイオード群に属し、上記第２発光ダイオード群は、５００ｎｍ〜５５０ｎｍの範囲に発光ピーク波長を有する光を放射する発光ダイオードを少なくとも１つ含むことを特徴とする請求項３に記載の養殖用照明装置。
【請求項５】
上記第２発光ダイオード群に属する発光ダイオードの方が、上記第１発光ダイオード群に属する発光ダイオードよりも数が多いことを特徴とする請求項４に記載の養殖用照明装置。
【請求項６】
上記第２発光ダイオード群に属する発光ダイオードの方が、上記第１発光ダイオード群に属する、４３０ｎｍ〜４７０ｎｍの範囲に発光ピーク波長を有する光を放射する発光ダイオードよりも駆動電流が大きいことを特徴とする請求項４または５に記載の養殖用照明装置。
【請求項７】
上記複数の発光ダイオードは、それぞれ独立に実装されていることを特徴とする請求項２から６までのいずれか１項に記載の養殖用照明装置。
【請求項８】
上記複数の発光ダイオードは、同一パッケージで実装されていることを特徴とする請求項２から７までのいずれか１項に記載の養殖用照明装置。
【請求項９】
上記発光素子は、
４００ｎｍ〜４６０ｎｍの範囲に発光ピーク波長を有する光を放射する発光ダイオードと、
上記発光ダイオードが放射する光を受けて、４８０ｎｍ〜５７０ｎｍの範囲に発光ピーク波長を有する蛍光を発する蛍光体と、を含み、
上記発光ダイオードから放射される光、および、上記蛍光体から発せられる蛍光を、上記２種類の光として放射することを特徴とする請求項１に記載の養殖用照明装置。
【請求項１０】
上記蛍光体は、
ＢａＳｉ２Ｏ２Ｎ２：Ｅｕ、Ｌｕ３Ａｌ５Ｏ１２：Ｃｅ、Ｙ３（Ａｌ，Ｇａ）５Ｏ１２：Ｃｅ、Ｙ３Ａｌ５Ｏ１２：Ｃｅ、Ｓｒ５Ｆ（ＰＯ４）３：Ｓｂ，Ｍｎ、Ｃａ３Ｓｃ２Ｓｉ３Ｏ１２：Ｃｅ、または、ＳｒＡｌ２Ｏ４：Ｅｕ２＋，Ｄｙ３＋のいずれかであることを特徴とする請求項９に記載の養殖用照明装置。
【請求項１１】
上記蛍光体は、
Ｌｕ３Ａｌ５Ｏ１２：ＣｅまたはＣａ３Ｓｃ２Ｓｉ３Ｏ１２：Ｃｅのいずれかであることを特徴とする請求項１０に記載の養殖用照明装置。
【請求項１２】
上記蛍光体は、
ＳｒＡｌ２Ｏ４：Ｅｕ２＋，Ｄｙ３＋であることを特徴とする請求項１０に記載の養殖用照明装置。
【請求項１３】
上記発光ダイオードから放射される光に対する、上記蛍光体からに放射される蛍光の光量子束密度の比が２以上であることを特徴とする請求項９から１２までのいずれか１項に記載の養殖用照明装置。
【請求項１４】
上記発光素子に駆動電流を供給する電源と、
上記発光素子に供給される駆動電流の制御を行う供給電流制御部と、を備えることを特徴とする請求項１から１３までのいずれか１項に記載の養殖用照明装置。
【請求項１５】
上記供給電流制御部は、
上記発光素子に供給される駆動電流をパルス電流とする制御を行うことを特徴とする請求項１４に記載の養殖用照明装置。
【請求項１６】
上記パルス電流の周波数は１０Ｈｚ以下であることを特徴とする請求項１５に記載の養殖用照明装置。
【請求項１７】
請求項１から１３までのいずれか１項に記載の養殖用照明装置と、
魚を養殖する養殖領域と、
上記発光素子に駆動電流を供給する電源と、
上記電源から上記発光素子に供給される駆動電流の制御を行う供給電流制御部と、を備えることを特徴とする養殖装置。
【請求項１８】
上記供給電流制御部は、
上記発光素子に供給される駆動電流をパルス電流とする制御を行うことを特徴とする請求項１７に記載の養殖装置。
【請求項１９】
上記パルス電流の周波数は１０Ｈｚ以下であることを特徴とする請求項１８に記載の養殖装置。
【請求項２０】
上記魚は、幼魚であることを特徴とする請求項１７から１９までのいずれか１項に記載の養殖装置。
【請求項２１】
上記幼魚は、孵化後７０日以内であることを特徴とする請求項２０に記載の養殖装置。
【請求項２２】
上記魚は、マグロ属であることを特徴とする請求項１７に記載の養殖装置。
【請求項２３】
上記魚は、アジ科、タイ科、タラ亜科、サケ科、スズキ科、ユメタカノハダイ科、アイゴ科のいずれかであることを特徴とする請求項１７から１９までのいずれか１項に記載の養殖装置。
【請求項２４】
上記発光素子は、上記養殖領域に張られた水中に設置されていることを特徴とする請求項１７から２３までのいずれか１項に記載の養殖装置。
【請求項２５】
上記供給電流制御部は、
夕暮れから明朝の間に、上記発光素子に駆動電流を供給する制御を行うことを特徴とする請求項１７から２４までのいずれか１項に記載の養殖装置。
【請求項２６】
上記供給電流制御部は、
上記発光素子に駆動電流を供給する期間を一日当たり１２時間以上とする制御を行うことを特徴とする請求項１７から２５までのいずれか１項に記載の養殖装置。
【発明の詳細な説明】
【技術分野】
【０００１】
本発明は、魚の養殖に使用する養殖用照明装置および養殖装置に関する。
【背景技術】
【０００２】
従来から、消費者への魚の安定供給などの観点から魚の養殖が行なわれている。
【０００３】
例えば、マグロの養殖は、近海で捕獲した生後約十三週目前後（体長が約２００〜３００ｍｍ）の天然幼魚を海面に設置した生簀内で市場に出荷可能な大きさにまで育てることにより行なわれている。このようなマグロの養殖においては、生簀内でのマグロの驚愕行動を防止しつつ安定的に摂食させることが極めて重要である。ここで、マグロの驚愕行動とは、マグロが急激な環境変化に驚いて興奮状態となって狂乱的に遊泳するパニック現象であり、この現象が生じた場合、生簀壁面への衝突死が増加してしまうという問題点がある。また、驚愕行動が生じたマグロは、その後数日間は摂食しない傾向にあるため健康状態の管理が困難となる。
【０００４】
一方、魚を生簀等の養殖領域で生育させると、短時間に病気が蔓延して死滅してしまうという別の問題点もある。これは、生簀が閉鎖された領域で魚を飼育することに加えて、自然環境とは比較にならないほど高密度に魚を飼育するからである。現在、生簀における魚の養殖は、いかに魚を死滅させないかが経営の採算を左右しているのが実状である。
【０００５】
このような魚の養殖に関する技術の一例として、特許文献１に開示されたマグロの驚愕行動防止方法がある。このマグロの驚愕行動防止方法では、マグロの未成魚が遊泳する水面に向かって、少なくとも１０ｌｘ（ルクス）以上の光を放射することにより、夜間での生簀壁面への衝突死を減少させ、マグロの生存率を上昇させている。
【０００６】
一方、魚の養殖に関する技術の他の一例として、特許文献２に開示された魚の養殖装置がある。この魚の養殖装置では、青色発光ダイオードからの青色光を魚に放射することにより、魚が密集する状況にて蔓延しやすい病気を防いでいる。
【０００７】
以上のように、魚の稚魚の生態には未解明な部分が多いものの、特に孵化後間もない稚魚の成育環境のうち、光環境は稚魚の生存率および養育に大きな影響を与えるものと考えられている。
【先行技術文献】
【特許文献】
【０００８】
【特許文献１】特開２０１１−  １９４８５号公報（２０１１年２月  ３日公開）
【特許文献２】特開２００４−１５９５７５号公報（２００４年６月１０日公開）
【発明の概要】
【発明が解決しようとする課題】
【０００９】
ところで、発光量の少ない光で魚の成育への効果を得るためには、魚の視感度を考慮する必要があるが、一般に視感度曲線の半値幅は１００ｎｍ以上あり、魚も例外ではない。
【００１０】
これに対して、単色のＬＥＤ（Light Emitting Diode）から放射される光の波長に依存する発光スペクトル（以下、単に「発光スペクトル」という）の半値幅は２０〜３０ｎｍである。このため、単色のＬＥＤのみでは、魚の視感度に合せた光の放射が困難であるという問題点がある。
【００１１】
しかしながら、上記特許文献１に開示されたマグロの驚愕行動防止方法では、少なくとも１０ｌｘ以上の光を放射することにより、夜間での生簀壁面への衝突死を減少させ、マグロの生存率を上昇させる点については記載されているものの、上記の問題点や、その解決方法については何ら記載されていない。
【００１２】
また、上記特許文献２に開示された魚の養殖装置では、単色の青色発光ダイオードのみからの青色光を利用しているため、上記問題点を解決できないことは明らかである。
【００１３】
本発明は、上記従来の問題点に鑑みなされたものであって、その目的は、魚の視感度に合せて光を放射することができる養殖用照明装置および養殖装置を提供することにある。
【課題を解決するための手段】
【００１４】
本発明の養殖用照明装置は、上記の課題を解決するために、４００ｎｍ〜５７０ｎｍの範囲において、発光ピーク波長が互いに５ｎｍ以上異なる少なくとも２種類の光を放射する少なくとも１つの発光素子を備えることを特徴とする。
【００１５】
上記のように、一般に視感度曲線の半値幅は１００ｎｍ以上あり、魚も例外ではない。これに対して、例えば、単色のＬＥＤから放射される光の波長に依存する発光スペクトルの半値幅は２０〜３０ｎｍであり、魚の視認性を上げるためにはもっとブロードな光が望ましいが、単色のＬＥＤのみでは、魚の視感度に合せた光の放射が困難であるという問題点がある。
【００１６】
そこで、このような問題点を解決するため、上記の構成では、４００ｎｍ〜５７０ｎｍの範囲（波長範囲）において、発光ピーク波長が互いに５ｎｍ以上異なる少なくとも２種類の光を放射する少なくとも１つの発光素子を備える構成としている。
【００１７】
ここで、「発光ピーク波長が互いに５ｎｍ以上異なる」としているのは、例えば、ＬＥＤの固体のばらつき等（通常、同じＬＥＤでも発光ピーク波長に２〜３ｎｍ程度のばらつきがあることが知られている）を考慮したものである。すなわち、発光素子の固体のばらつき等を超える程度に、発光ピーク波長が互いに異なることを意味している。
【００１８】
以上の構成によれば、放射される光全体の発光スペクトルをよりブロードにすることができるので、魚の視感度に合せて光を放射することが可能になる。
【００１９】
また、上記波長範囲の光に対しては、魚の視感度が高い（視認性が良い）。さらに、魚を養殖する養殖領域（一般に水中）では光の吸収が起こるため、より効果的に透過する光の波長を選択する必要があるが、上記波長範囲の光は、この波長範囲外の波長の光よりも水中での透過率が高い。
【００２０】
以上により、本発明の上記構成によれば、上記波長範囲外の波長の光よりもより少ない照度で所期の効果を得られるので、消費電力を低減させ、自然光に加えて人工光を使うことで生じるコストを低減させることも可能となる。
【００２１】
また、本発明の養殖用照明装置は、上記の構成に加えて、上記発光素子は、４８０ｎｍ〜５２０ｎｍの範囲において、発光ピーク波長が互いに５ｎｍ以上異なる複数の発光ダイオードを含んでも良い。
【００２２】
４８０ｎｍ〜５２０ｎｍの範囲に発光ピーク波長を有する光に対しては、魚の視感度がより高く、この範囲外の波長の光よりも水中での透過率がより高い。
【００２３】
このため、この範囲外の波長の光よりもより少ない照度で所期の効果を得られるので、消費電力をさらに低減させ、上記のコストをより低減させることが可能となる。
【００２４】
また、本発明の養殖用照明装置は、上記の構成に加えて、上記発光素子は、４３０ｎｍ〜５５０ｎｍの範囲において、発光ピーク波長が互いに５ｎｍ以上異なる少なくとも２種類の光を放射する複数の発光ダイオードを含み、上記複数の発光ダイオードのうちの少なくとも１つが、５００ｎｍ〜５５０ｎｍの範囲に発光ピーク波長を有する光を放射する発光ダイオードであっても良い。
【００２５】
水中透過率は沿岸部もしくは水質が悪くなると長波長側にシフトする傾向にあるので、最大透過率は５００ｎｍ〜５５０ｎｍの範囲で変化する。
【００２６】
このため、養殖領域に放射される光の強度は、青緑色領域の５００ｎｍ〜５５０ｎｍが最大となるような発光スペクトルをもつことが、魚の視感度、水中の透過率の点で好ましい。
【００２７】
このため、上記の構成によれば、５００ｎｍ〜５５０ｎｍの範囲に発光ピーク波長を有する光を放射する発光ダイオードを少なくとも１つ含んでいるので、魚の視感度をより高くし、水中の透過率もより高くすることができる。
【００２８】
また、本発明の養殖用照明装置は、上記の構成に加えて、上記複数の発光ダイオードのうち、少なくとも１つの発光ダイオードは、４３０ｎｍ〜４８０ｎｍの範囲に発光ピーク波長を有する光を放射する第１発光ダイオード群に属し、残りの発光ダイオードのうちの少なくとも１つの発光ダイオードは、４８０ｎｍ〜５５０ｎｍの範囲に発光ピーク波長を有する光を放射する第２発光ダイオード群に属し、上記第２発光ダイオード群は、５００ｎｍ〜５５０ｎｍの範囲に発光ピーク波長を有する光を放射する発光ダイオードを少なくとも１つ含んでいても良い。
【００２９】
上記のように、養殖領域に放射される光の強度は、青緑色領域の５００ｎｍ〜５５０ｎｍが最大となるような発光スペクトルをもつことが、魚の視感度、水中の透過率の点で好ましい。
【００３０】
このため、上記の構成によれば、第２発光ダイオード群は、５００ｎｍ〜５５０ｎｍの範囲に発光ピーク波長を有する光を放射する発光ダイオードを少なくとも１つ含んでいるので、魚の視感度をより高くし、水中の透過率もより高くすることができる。
【００３１】
また、本発明の養殖用照明装置は、上記の構成に加えて、上記第２発光ダイオード群に属する発光ダイオードの方が、上記第１発光ダイオード群に属する発光ダイオードよりも数が多いことが好ましい。
【００３２】
第２発光ダイオード群に属する発光ダイオードの方が、上記第１発光ダイオード群に属する発光ダイオードよりも明るい方が、魚の視感度の点で好ましい。
【００３３】
よって、上記の構成では、第１発光ダイオード群に属する発光ダイオードよりも第２発光ダイオード群に属する発光ダイオード数を多くしている。
【００３４】
また、本発明の養殖用照明装置は、上記の構成に加えて、上記第２発光ダイオード群に属する発光ダイオードの方が、上記第１発光ダイオード群に属する、４３０ｎｍ〜４７０ｎｍの範囲に発光ピーク波長を有する光を放射する発光ダイオードよりも駆動電流が大きいことが好ましい。
【００３５】
第２発光ダイオード群に属する発光ダイオードの方が、上記第１発光ダイオード群に属する４３０ｎｍ〜４７０ｎｍの範囲に発光ピーク波長を有する光を放射する発光ダイオードよりも明るい方が、魚の視感度の点で好ましい。
【００３６】
よって、上記の構成では、第１発光ダイオード群に属する、４３０ｎｍ〜４７０ｎｍに発光ピーク波長を有する光を放射する発光ダイオードよりも第２発光ダイオード群に属する発光ダイオードの駆動電流を大きくしている。
【００３７】
また、本発明の養殖用照明装置は、上記の構成に加えて、上記複数の発光ダイオードは、それぞれ独立に実装されていても良いし、同一パッケージで実装されていても良い。
【００３８】
なお、複数の発光ダイオードを同一パッケージで実装すれば、各発光ダイオードから放射される光（蛍光体を含む場合は、その蛍光も含む）の色を均一に混合することができるので、より好ましい。
【００３９】
また、本発明の養殖用照明装置は、上記の構成に加えて、上記発光素子は、４００ｎｍ〜４６０ｎｍの範囲に発光ピーク波長を有する光を放射する発光ダイオードと、上記発光ダイオードが放射する光を受けて、４８０ｎｍ〜５７０ｎｍの範囲に発光ピーク波長を有する蛍光を発する蛍光体と、を含み、上記発光ダイオードから放射される光、および、上記蛍光体から発せられる蛍光を、上記２種類の光として放射しても良い。
【００４０】
上記のように、一般に視感度曲線の半値幅は１００ｎｍ以上あり、魚も例外ではない。これに対して、例えば、単色のＬＥＤから放射される光の発光スペクトルの半値幅は２０〜３０ｎｍである。このため、単色のＬＥＤのみでは、魚の視感度に合せた光の放射が困難であるという問題点がある。
【００４１】
そこで、このような問題点を解決するため、上記の構成では、４００ｎｍ〜４６０ｎｍの範囲に発光ピーク波長を有する光を放射する発光ダイオードと、上記発光ダイオードが放射する光を受けて、４８０ｎｍ〜５７０ｎｍの範囲（青緑色領域）に発光ピーク波長を有する蛍光を発する蛍光体と、を含む構成としている。
【００４２】
一般に、蛍光体から発せられる蛍光の発光スペクトルは、単色のＬＥＤから放射される光の発光スペクトルよりもブロードである。
【００４３】
また、上記の構成によれば、発光ダイオードから放射される光、および、蛍光体から発せられる蛍光の２種類の光が放射されるため、放射される光の演色性を高めることができる。
【００４４】
このため、上記構成によれば、養殖領域に放射される光全体の発光スペクトルをよりブロードにすることができるので、魚の視感度に合せて光を放射することが可能になる。
【００４５】
また、上記波長範囲の光に対しては、魚の視感度が高い（視認性が良い）。さらに、養殖領域（一般に水中）では光の吸収が起こるため、より効果的に透過する光の波長を選択する必要があるが、上記波長範囲の光は、この波長範囲外の波長の光よりも水中での透過率が高い。
【００４６】
以上により、本発明の上記構成によれば、上記波長範囲外の波長の光よりもより少ない照度で所期の効果を得られるので、消費電力を低減させ、自然光に加えて人工光を使うことで生じるコストを低減させることも可能となる。
【００４７】
さらに、４００ｎｍ〜４６０ｎｍの範囲に発光ピーク波長を有する光（青色光）を放射する発光ダイオードは、効率が高く、また、青色光は、魚の成長率、摂餌率が高まり好ましい。
【００４８】
また、本発明の養殖用照明装置は、上記の構成に加えて、上記蛍光体は、ＢａＳｉ２Ｏ２Ｎ２：Ｅｕ、Ｌｕ３Ａｌ５Ｏ１２：Ｃｅ、Ｙ３（Ａｌ，Ｇａ）５Ｏ１２：Ｃｅ、Ｙ３Ａｌ５Ｏ１２：Ｃｅ、Ｓｒ５Ｆ（ＰＯ４）３：Ｓｂ，Ｍｎ、Ｃａ３Ｓｃ２Ｓｉ３Ｏ１２：Ｃｅ、または、ＳｒＡｌ２Ｏ４：Ｅｕ２＋，Ｄｙ３＋のいずれかであることが好ましい。
【００４９】
また、本発明の養殖用照明装置は、上記の構成に加えて、上記蛍光体は、Ｌｕ３Ａｌ５Ｏ１２：ＣｅまたはＣａ３Ｓｃ２Ｓｉ３Ｏ１２：Ｃｅのいずれかであることが好ましい。
【００５０】
また、本発明の養殖用照明装置は、上記の構成に加えて、上記蛍光体は、ＳｒＡｌ２Ｏ４：Ｅｕ２＋，Ｄｙ３＋であることが好ましい。
【００５１】
ＢａＳｉ２Ｏ２Ｎ２：Ｅｕ、Ｌｕ３Ａｌ５Ｏ１２：Ｃｅ、Ｙ３（Ａｌ，Ｇａ）５Ｏ１２：Ｃｅは青色光の励起効率が高く、Ｓｒ５Ｆ（ＰＯ４）３：Ｓｂ，Ｍｎは発光スペクトルの発光ピーク波長が５００ｎｍ付近で好ましい。特に、Ｌｕ３Ａｌ５Ｏ１２：ＣｅおよびＣａ３Ｓｃ２Ｓｉ３Ｏ１２：Ｃｅは信頼性も高く、発光スペクトルがよりブロードで最も好ましい。
【００５２】
また、発光ダイオードをパルス電流で駆動する場合、ＳｒＡｌ２Ｏ４：Ｅｕ２＋，Ｄｙ３＋のような耐候性に優れた蓄光型の緑色発光蛍光体を使用してもよい。この蛍光体は、吸収スペクトル（励起スペクトル）の吸収ピーク波長が紫外域にあるので、励起効率が多少低下するものの、残光時間が長いため、発光ダイオードの光（青色光）を魚が視認できる程度まで、点灯時間（明期）を短くすることができ、消費電力をより低減することができる。
【００５３】
また、本発明の養殖用照明装置は、上記の構成に加えて、上記発光ダイオードから放射される光に対する、上記蛍光体から放射される蛍光の光量子束密度の比が２以上であることが好ましい。
【００５４】
上記のように５００ｎｍ〜５５０ｎｍの範囲に発光ピーク波長を有する光が、最も水中透過率が高いことと、魚の視感度が高い。このため、４８０ｎｍ〜５７０ｎｍの範囲に発光ピーク波長を有する蛍光（青緑色領域）がより効果的な波長であるため、上記構成のように、発光ダイオードから放射される光に対する、蛍光体から放射される蛍光の光量子束密度の比が２以上であることが好ましい。
【００５５】
また、本発明の養殖用照明装置は、上記の構成に加えて、上記発光素子に駆動電流を供給する電源と、上記発光素子に供給される駆動電流の制御を行う供給電流制御部と、を備えていても良い。
【００５６】
上記構成によれば、生簀などの養殖領域を用意し、発光素子からの光を養殖領域に放射できる位置に、本発明の養殖用照明装置を設置することで、簡単に魚を養殖することができる養殖装置を実現できる。
【００５７】
また、本発明の養殖装置は、上記の構成に加えて、上記養殖用照明装置と、魚を養殖する養殖領域と、上記発光素子に駆動電流を供給する電源と、上記電源から上記発光素子に供給される駆動電流の制御を行う供給電流制御部とを備えても良い。
【００５８】
上記の構成によれば、本発明の養殖用照明装置を備える養殖装置を実現できる。
【００５９】
また、本発明の養殖用照明装置は、上記の構成に加えて、上記供給電流制御部は、上記発光素子に供給される駆動電流をパルス電流とする制御を行うことが好ましい。
【００６０】
点滅させることで連続光にｄｕｔｙを掛けた明るさよりも明るく感じることから、消費電力低減の上で好ましい。
【００６１】
また、本発明の養殖用照明装置は、上記の構成に加えて、上記パルス電流の周波数は１０Ｈｚ以下であることが好ましい。
【００６２】
上記構成によれば、明期と暗期とを明確に区別することができる。
【００６３】
また、本発明の養殖装置は、上記の構成に加えて、上記魚は、幼魚であっても良い。
【００６４】
上記構成によれば、消費電力を低減させ、自然光に加えて人工光を使うことで生じるコストを低減させて、幼魚の養殖が可能となる。
【００６５】
また、本発明の養殖装置は、上記の構成に加えて、上記幼魚は、孵化後７０日以内であることが好ましい。
【００６６】
魚にもよるが孵化したあと７０日以内であれば光環境に敏感であり、幼魚は、明るい環境を好み、光をあてることで成長速度が上がる傾向にある。またマグロにおいては衝突死を防ぐことができる。
【００６７】
また、本発明の養殖装置は、上記の構成に加えて、上記魚は、マグロ属であっても良い。
【００６８】
マグロ属に関しては、幼魚のとき、光感度が低いことと、動いているものを見分ける時間分解能が低いことから、生簀などの養殖領域の側壁に衝突し、首の骨を折って大量死する問題があるが、本発明の養殖装置は、上記養殖用照明装置を備えているので、発光素子から放射される光を照射することにより、マグロの幼魚の衝突死を防ぐことができる。また、消費電力を低減させ、自然光に加えて人工光を使うことで生じるコストを低減させることも可能となる。
【００６９】
また、本発明の養殖装置は、上記の構成に加えて、上記魚は、アジ科、タイ科、タラ亜科、サケ科、スズキ科、ユメタカノハダイ科、アイゴ科のいずれかであっても良い。
【００７０】
アジ科、タイ科、タラ亜科、サケ科、スズキ科、ユメタカノハダイ科、アイゴ科の幼魚は明るい環境を好み、発光素子から放射される光により、全般に成長速度が上がる傾向にある。また、消費電力を低減させ、自然光に加えて人工光を使うことで生じるコストを低減させることも可能となる。なお、本発明の養殖装置は、アジ科のなかではとりわけブリ属（ハマチ、ヒラマサ、ブリ、カンパチ）への使用が有効である。
【００７１】
また、本発明の養殖装置は、上記の構成に加えて、上記発光素子は、上記養殖領域に張られた水中に設置さていても良い。
【００７２】
養殖領域の上側に発光素子を設置し、生簀の上側から光を放射しても良く、発光素子を水中に設置して水中から光を放射しても良い。水中に設置する場合は深さを変えることで魚の分布を最適化できるのでより好ましい。
【００７３】
また、本発明の養殖装置は、上記の構成に加えて、上記供給電流制御部は、夕暮れから明朝の間に、上記発光素子に駆動電流を供給する制御を行うことが好ましい。
【００７４】
幼魚は一般的に明期が長いことを好むことから、太陽が沈む夕暮れから明朝の間に人工光として発光素子からの光を放射することが好ましい。
【００７５】
また、本発明の養殖装置は、上記の構成に加えて、上記供給電流制御部は、上記発光素子に駆動電流を供給する期間を一日当たり１２時間以上とする制御を行うことが好ましい。
【００７６】
冬場など明期が短くなる時期は、発光素子からの光を放射して、明期が１２時間以上になるようにすることで、幼魚の成長率を上げることができ好ましい。発光素子から放射される光には、赤色成分が含まれていても良いが、効率の点で赤色発光蛍光体を含まないことが好ましい。
【発明の効果】
【００７７】
本発明の養殖用照明装置は、以上のように、４００ｎｍ〜５７０ｎｍの範囲において、発光ピーク波長が互いに５ｎｍ以上異なる少なくとも２種類の光を放射する少なくとも１つの発光素子を備えるものである。
【００７８】
それゆえ、魚の視感度に合せて光を放射することができるという効果を奏する。
【図面の簡単な説明】
【００７９】
【図１】本発明の養殖装置における実施の一形態の全体構成を示す構成図である。
【図２】上記養殖装置に関し、発光素子の一構成例を示す構成図である。
【図３】上記養殖装置に関し、発光素子の他の構成例を示す構成図である。
【図４】上記養殖装置に関し、発光素子のさらに他の構成例を示す構成図である。
【図５】本発明の養殖装置における他の実施形態の全体構成を示す構成図である。
【図６】青色ＬＥＤとＬｕ３Ａｌ５Ｏ１２：Ｃｅ蛍光体とを含む養殖用照明装置の実施例における（波長に依存する）発光スペクトルを示すグラフである。
【発明を実施するための形態】
【００８０】
本発明の一実施形態について図１〜図５に基づいて説明すれば、次の通りである。以下の特定の項目で説明する構成以外の構成については、必要に応じて説明を省略する場合があるが、他の項目で説明されている場合は、その構成と同じである。また、説明の便宜上、各項目に示した部材と同一の機能を有する部材については、同一の符号を付し、適宜その説明を省略する。
【００８１】
〔１．養殖装置１０について〕
まず、図１に基づき本発明の養殖装置の一実施形態である養殖装置１０の構成について説明する。図１は、養殖装置１０の全体構成を示す構成図である。
【００８２】
同図に示すように、養殖装置１０は、生簀（養殖領域）１、支柱４、筐体５ａ、発光素子（養殖用照明装置）６ａ，６ｂ，６ｃ、電源（養殖用照明装置）７、供給電流制御部（養殖用照明装置）８および記憶部９を備える。
【００８３】
なお、以下の説明では、煩雑さを避けるため、発光素子６ａ、発光素子６ｂまたは発光素子６ｃの意であるものとして「発光素子６ａ，６ｂ，６ｃ」のように略記する。他の部材について複数の部材番号を併記している場合も同様である。
【００８４】
（生簀１）
生簀１は、魚３を養殖する養殖領域の例であり、生簀の他、水槽、養殖池などを例示することができる。養殖領域の具体例としては、樹脂材料またはガラス材で構成された生簀や水槽、シート状部材で海、川、人口池などの所定の養殖領域の周りを囲んだもの、コンクリートなどで養殖領域の周りを囲んだ生簀や養殖池などを挙示することができる。
【００８５】
生簀１には水２が張られており、その水２中に一匹以上の魚３が放流される。水２は、海水、川、湖、池などの水や、養殖用に特別に用意した養育水などを例示することができる。なお、魚３の数は、生簀１内の魚３の密度が高くなり過ぎないように、生簀１の容積を考慮して適切な数とすることが好ましい。
【００８６】
本実施形態の生簀１の形状は、上方が開放した直方体形状であるが、このような形状に限定されず、例えば、上方が開放した円筒形状などであっても良い。
【００８７】
（支柱４）
本実施形態の支柱４は、生簀１の側壁に起立した状態で取り付けられた２本の棒状の支柱部材と、２つの支柱部材の上端間に水平に掛け渡された梁部材からなる。
【００８８】
支柱４の梁部材には、その長手方向に沿って、複数の発光素子６ａ，６ｂ，６ｃが、糸、紐、または針金などの線状部材を用いて互いに適切な間隔を保って装着される。すなわち、支柱４は、生簀１に張られた水２の水面に対して上側から光を放射できるように、発光素子６ａを設置（固定）するための部材である。なお、複数の発光素子６ａ，６ｂ，６ｃ同士の間隔は、生簀１に張られた水２の水面に放射される光が均等に放射されるように適切に設定すれば良い。これにより、少ない光で所期の効果を得られるので、消費電力を低減させ、自然光に加えて人工光を使うことで生じるコストを低減させることも可能となる。
【００８９】
また、発光素子６ａ，６ｂ，６ｃを設置（固定）方法は、簀１に張られた水２の水面に対して上側から光を放射できる方法であれば、どのような方法を採用しても良く、本実施形態のような方法に限定されない。
【００９０】
（筐体５ａ）
本実施形態の筐体５ａには、下側に開口部を有する略円錐台形状の反射鏡が含まれており、反射鏡の焦点付近に発光素子６ａ，６ｂ，６ｃが設置されている。反射鏡は、発光素子６ａ，６ｂ，６ｃから放射される光を反射することにより、所定の立体角内を進む光線束を形成する。また、反射鏡は、例えば、金属薄膜がその表面に形成された曲面形状（カップ形状）の部材であり、反射した光の進行方向に開口している。
【００９１】
このように反射鏡を用いれば、反射鏡の形状を適切に設計することにより、生簀１に張られた水２の水面に光が均等に放射されるように、光のスポットの大きさを調整できるので、少ない光で所期の効果を得られるので、消費電力を低減させ、自然光に加えて人工光を使うことで生じるコストを低減させることも可能となる。
【００９２】
（発光素子６ａ，６ｂ，６ｃ）
発光素子６ａ，６ｂ，６ｃは、それぞれ、魚３を養殖する生簀１に張られた水２の水面に、その上側から、４００ｎｍ〜５７０ｎｍの範囲において、発光ピーク波長が互いに５ｎｍ以上異なる少なくとも２種類の光を放射する素子である。なお、発光素子６ａ，６ｂ，６ｃのそれぞれの具体的な構成例については後述する。
【００９３】
一般に視感度曲線の半値幅は１００ｎｍ以上あり、魚も例外ではない。これに対して、例えば、単色のＬＥＤから放射される光の波長に依存する発光スペクトルの半値幅は２０〜３０ｎｍであり、魚の視認性を上げるためにはもっとブロードな光が望ましいが、単色のＬＥＤのみでは、魚の視感度に合せた光の放射が困難であるという問題点がある。
【００９４】
そこで、このような問題点を解決するため、発光素子６ａ，６ｂ，６ｃを、魚を養殖する養殖領域（後述する生簀１の水２の水面）に、上側から４００ｎｍ〜５７０ｎｍの範囲（波長範囲）において、発光ピーク波長が互いに５ｎｍ以上異なる少なくとも２種類の光を放射する構成としている。
【００９５】
ここで、「発光ピーク波長が互いに５ｎｍ以上異なる」としているのは、例えば、ＬＥＤの固体のばらつき等（通常、同じＬＥＤでも発光ピーク波長に２〜３ｎｍ程度のばらつきがあることが知られている）を考慮したものである。すなわち、発光素子６ａ，６ｂ，６ｃに含まれる後述する複数の第１ＬＥＤ素子群１１（または、複数の第２ＬＥＤ素子群１２）のそれぞれに属するＬＥＤチップの固体のばらつき等を超える程度に、発光ピーク波長が互いに異なることを意味している。
【００９６】
以上の構成によれば、生簀１に張られた水２の水面に放射される光全体の発光スペクトルをよりブロードにすることができるので、魚３の視感度に合せて光を放射することが可能になる。
【００９７】
また、上記波長範囲の光に対しては、魚３の視感度が高い（視認性が良い）。さらに、生簀１に張られた水２中では光の吸収が起こるため、より効果的に透過する光の波長を選択する必要があるが、上記波長範囲の光は、この波長範囲外の波長の光よりも水２中での透過率が高い。また、４００ｎｍ〜５７０ｎｍの範囲の光を放射することにより、魚３の生存率および成長速度を高めることも可能になる。
【００９８】
以上により、発光素子６ａ，６ｂ，６ｃによれば、上記波長範囲外の波長の光よりもより少ない照度で所期の効果を得られるので、消費電力を低減させ、自然光に加えて人工光を使うことで生じるコストを低減させることも可能となる。
【００９９】
（発光素子６ａについて）
次に、図２に基づき、発光素子６ａの具体的な構成例について説明する。図２は、発光素子の一構成例である発光素子６ａを示す構成図である。同図に示すように、発光素子６ａは、第１ＬＥＤ素子群（第１発光ダイオード群）１１、第２ＬＥＤ素子群（第２発光ダイオード群）１２、アノード電極１３、金１４、カソード電極１５、配線１６、パッド電極（アノード）１７、パッド電極（カソード）１８、および、セラミック基板１９を備える。
【０１００】
（第１ＬＥＤ素子群１１，第２ＬＥＤ素子群１２）
第１ＬＥＤ素子群１１および第２ＬＥＤ素子群１２は、それぞれ、４８０ｎｍ〜５２０ｎｍの範囲において、発光ピーク波長が互いに５ｎｍ以上異なる合計２４個のＬＥＤチップ（発光ダイオード）を含む。
【０１０１】
第１ＬＥＤ素子群１１および第２ＬＥＤ素子群１２のそれぞれに属する各ＬＥＤチップは、光出力が０．１Ｗ、動作電圧が３Ｖ、駆動電流が０．１Ａのものであり、２４個のＬＥＤチップの光出力の合計は２．４Ｗである。
【０１０２】
４８０ｎｍ〜５２０ｎｍの範囲に発光ピーク波長を有する光に対しては、魚３の視感度がより高く、この範囲外の波長の光よりも水２中での透過率がより高い。
【０１０３】
このため、この範囲外の波長の光よりもより少ない照度で所期の効果を得られるので、消費電力をさらに低減させ、上記のコストをより低減させることが可能となる。
【０１０４】
また、第１ＬＥＤ素子群１１および第２ＬＥＤ素子群１２は、それぞれ、４３０ｎｍ〜５５０ｎｍの範囲において、発光ピーク波長が互いに５ｎｍ以上異なる少なくとも２種類の光を放射する複数のＬＥＤチップを含み、この複数のＬＥＤチップのうちの少なくとも１つが、５００ｎｍ〜５５０ｎｍの範囲に発光ピーク波長を有する光を放射するＬＥＤチップであっても良い。
【０１０５】
水２中の透過率は沿岸部もしくは水質が悪くなると長波長側にシフトする傾向にあるので、最大透過率は５００ｎｍ〜５５０ｎｍの範囲で変化する。
【０１０６】
このため、生簀１に放射される光の強度は、青緑色領域の５００ｎｍ〜５５０ｎｍが最大となるような発光スペクトルをもつことが、魚３の視感度、水２中の透過率の点で好ましい。
【０１０７】
このため、上記の構成によれば、５００ｎｍ〜５５０ｎｍの範囲に発光ピーク波長を有する光を放射するＬＥＤチップを少なくとも１つ含んでいるので、魚３の視感度をより高くし、水２中の透過率もより高くすることができる。
【０１０８】
また、第１ＬＥＤ素子群１１は、４３０ｎｍ〜４８０ｎｍの範囲に発光ピーク波長を有する光を放射する、すくなくとも１つのＬＥＤチップを含む群（グループ）であり、第２ＬＥＤ素子群１２は、４８０ｎｍ〜５５０ｎｍの範囲に発光ピーク波長を有する光を放射する、すくなくとも１つのＬＥＤチップを含む群（グループ）であっても良い。
【０１０９】
また、このとき、第２ＬＥＤ素子群１２は、５００ｎｍ〜５５０ｎｍの範囲に発光ピーク波長を有する光を放射するＬＥＤチップを少なくとも１つ含んでいることが好ましい。
【０１１０】
上記のように、養殖領域に放射される光の強度は、青緑色領域の５００ｎｍ〜５５０ｎｍが最大となるような発光スペクトルをもつことが、魚の視感度、水中の透過率の点で好ましい。
【０１１１】
このため、上記の構成によれば、第２ＬＥＤ素子群１２は、５００ｎｍ〜５５０ｎｍの範囲に発光ピーク波長を有する光を放射するＬＥＤチップを少なくとも１つ含んでいるので、魚３の視感度をより高くし、水２中の透過率もより高くすることができる。
【０１１２】
（アノード電極１３，パッド電極１７，カソード電極１５，パッド電極１８）
アノード電極１３は、第１ＬＥＤ素子群１１および第２ＬＥＤ素子群１２のアノード側の電極であり、パッド電極１７に電気的に接続される。
【０１１３】
また、カソード電極１５は、第１ＬＥＤ素子群１１および第２ＬＥＤ素子群１２のカソード側の電極であり、パッド電極１８に電気的に接続される。
【０１１４】
パッド電極（アノード）１７は、電源７のアノード側に電気的に接続され、一方、パッド電極（カソード）１８は、電源７のアノード側に電気的に接続される。
【０１１５】
（金１４，配線１６）
図２に示すように、アノード電極１３と金１４との間には、第１ＬＥＤ素子群１１に属する２個のＬＥＤチップおよび２個の第２ＬＥＤ素子群１２に属するＬＥＤチップが直列に接続された配列が、合計６列電気的に接続されている。なお、カソード電極１５と金１４との間についても同様である。
【０１１６】
アノード電極１３およびカソード電極１５間に金１４を配置することで、金１４の電位を一定とし、上記６列の配列のそれぞれに、ほぼ均等に駆動電流が流れるようにしている。
【０１１７】
（セラミック基板１９）
セラミック基板１９は、上記の第１ＬＥＤ素子群１１、第２ＬＥＤ素子群１２、アノード電極１３、パッド電極１７、カソード電極１５、パッド電極１８のそれぞれを適切な位置に設置固定するための台座である。
【０１１８】
なお、本実施形態では、台座としてセラミック基板を用いているが、台座はこのような部材に限られず、樹脂や、ガラスなどで構成しても良い。
【０１１９】
なお、本実施形態の発光素子６ａは、第１ＬＥＤ素子群１１および第２ＬＥＤ素子群１２を同一パッケージで実装している。このように、第１ＬＥＤ素子群１１および第２ＬＥＤ素子群１２を同一パッケージで実装すれば、各ＬＥＤチップから放射される光の色を均一に混合することができるので、より好ましい。なお、第１ＬＥＤ素子群１１に属する複数のＬＥＤチップ、および第２ＬＥＤ素子群１２に属する複数のＬＥＤチップのそれぞれは、独立に実装されていても良い。
【０１２０】
（発光素子６ｂについて）
次に、図３に基づき、発光素子６ｂの具体的な構成例について説明する。図３は、発光素子の一構成例である発光素子６ｂを示す構成図である。なお、発光素子６ａと同様にセラミック基板１９を用いて同一パッケージで実装しても良いが、ここでは、簡単のため、第１ＬＥＤ素子群１１に属するＬＥＤチップおよび第２ＬＥＤ素子群１２に属するＬＥＤチップの接続形態のみについて説明する。
【０１２１】
同図に示すように、発光素子６ｂは、第１ＬＥＤ素子群（第１発光ダイオード群）１１、第２ＬＥＤ素子群（第２発光ダイオード群）１２、配線１６、パッド電極（アノード）１７ａ，１７ｂ、パッド電極（カソード）１８ａ，１８ｂを含む。
【０１２２】
（第１ＬＥＤ素子群１１，第２ＬＥＤ素子群１２）
第１ＬＥＤ素子群１１および第２ＬＥＤ素子群１２は、それぞれ、４８０ｎｍ〜５２０ｎｍの範囲において、発光ピーク波長が互いに５ｎｍ以上異なる合計９個および１２個のＬＥＤチップ（発光ダイオード）を含む。
【０１２３】
第１ＬＥＤ素子群１１および第２ＬＥＤ素子群１２のそれぞれに属する各ＬＥＤチップは、光出力が０．１Ｗ、動作電圧が３Ｖ、駆動電流が０．１Ａのものであり、２４個のＬＥＤチップの光出力の合計は２．４Ｗである。
【０１２４】
４８０ｎｍ〜５２０ｎｍの範囲に発光ピーク波長を有する光に対しては、魚３の視感度がより高く、この範囲外の波長の光よりも水２中での透過率がより高い。
【０１２５】
このため、この範囲外の波長の光よりもより少ない照度で所期の効果を得られるので、消費電力をさらに低減させ、上記のコストをより低減させることが可能となる。
【０１２６】
また、第１ＬＥＤ素子群１１および第２ＬＥＤ素子群１２は、それぞれ、４３０ｎｍ〜５５０ｎｍの範囲において、発光ピーク波長が互いに５ｎｍ以上異なる少なくとも２種類の光を放射する複数のＬＥＤチップを含み、この複数のＬＥＤチップのうちの少なくとも１つが、５００ｎｍ〜５５０ｎｍの範囲に発光ピーク波長を有する光を放射するＬＥＤチップであっても良い。
【０１２７】
水２中の透過率は沿岸部もしくは水質が悪くなると長波長側にシフトする傾向にあるので、最大透過率は５００ｎｍ〜５５０ｎｍの範囲で変化する。
【０１２８】
このため、生簀１に放射される光の強度は、青緑色領域の５００ｎｍ〜５５０ｎｍが最大となるような発光スペクトルをもつことが、魚３の視感度、水２中の透過率の点で好ましい。
【０１２９】
このため、上記の構成によれば、５００ｎｍ〜５５０ｎｍの範囲に発光ピーク波長を有する光を放射するＬＥＤチップを少なくとも１つ含んでいるので、魚３の視感度をより高くし、水２中の透過率もより高くすることができる。
【０１３０】
また、第１ＬＥＤ素子群１１は、４３０ｎｍ〜４８０ｎｍの範囲に発光ピーク波長を有する光を放射する、すくなくとも１つのＬＥＤチップを含む群（グループ）であり、第２ＬＥＤ素子群１２は、４８０ｎｍ〜５５０ｎｍの範囲に発光ピーク波長を有する光を放射する、すくなくとも１つのＬＥＤチップを含む群（グループ）であっても良い。
【０１３１】
また、このとき、第２ＬＥＤ素子群１２は、５００ｎｍ〜５５０ｎｍの範囲に発光ピーク波長を有する光を放射するＬＥＤチップを少なくとも１つ含んでいることが好ましい。
【０１３２】
上記のように、養殖領域に放射される光の強度は、青緑色領域の５００ｎｍ〜５５０ｎｍが最大となるような発光スペクトルをもつことが、魚の視感度、水中の透過率の点で好ましい。
【０１３３】
このため、上記の構成によれば、第２ＬＥＤ素子群１２は、５００ｎｍ〜５５０ｎｍの範囲に発光ピーク波長を有する光を放射するＬＥＤチップを少なくとも１つ含んでいるので、魚３の視感度をより高くし、水２中の透過率もより高くすることができる。
【０１３４】
また、本実施形態の発光素子６ｂでは、第２ＬＥＤ素子群１２に属するＬＥＤチップの方が、第１ＬＥＤ素子群１１に属するＬＥＤチップよりも数が多くなっている。
【０１３５】
これは、第２ＬＥＤ素子群１２に属するＬＥＤチップの方が、第１ＬＥＤ素子群１１に属するＬＥＤチップよりも明るい方が、魚の視感度の点で好ましいからである。
【０１３６】
また、第２ＬＥＤ素子群１２に属するＬＥＤチップの方が、第１ＬＥＤ素子群１１に属する、４３０ｎｍ〜４７０ｎｍに発光ピーク波長を有する光を放射するＬＥＤチップよりも駆動電流が大きいことが好ましい。これは、第２ＬＥＤ素子群１２に属するＬＥＤチップの方が、第１ＬＥＤ素子群１１に属する、４３０ｎｍ〜４７０ｎｍに発光ピーク波長を有する光を放射するＬＥＤチップよりも明るい方が、魚の視感度の点で好ましいからである。
【０１３７】
このため、図３の発光素子６ｂでは、パッド電極１７ａおよびパッド電極１８ａ間に第１ＬＥＤ素子群１１に属する複数のＬＥＤチップを接続し、パッド電極１７ｂおよびパッド電極１８ｂ間に第２ＬＥＤ素子群１２に属する複数のＬＥＤチップを接続し、独立に電流駆動できるようにしている。
【０１３８】
また、上記の構成では、第１ＬＥＤ素子群１１に属する、４３０ｎｍ〜４７０ｎｍに発光ピーク波長を有する光を放射するＬＥＤチップよりも第２ＬＥＤ素子群１２に属するＬＥＤチップの駆動電流を大きくしている。
【０１３９】
（発光素子６ｃについて）
次に、図４に基づき、発光素子６ｃの具体的な構成例について説明する。図４は、発光素子の一構成例である発光素子６ｃを示す構成図である。
【０１４０】
同図に示すように、発光素子６ｃは、複数の蛍光体２１、封止樹脂２２、パッケージ２３、およびＬＥＤチップ（発光ダイオード）２４を備える。
【０１４１】
（蛍光体２１）
蛍光体２１は、後述するＬＥＤチップ２４が放射する光を受けて、４８０ｎｍ〜５７０ｎｍの範囲に発光ピーク波長を有する蛍光を発する蛍光体である。
【０１４２】
また、蛍光体２１は、ＢａＳｉ２Ｏ２Ｎ２：Ｅｕ、Ｌｕ３Ａｌ５Ｏ１２：Ｃｅ、Ｙ３（Ａｌ，Ｇａ）５Ｏ１２：Ｃｅ、Ｙ３Ａｌ５Ｏ１２：Ｃｅ、Ｓｒ５Ｆ（ＰＯ４）３：Ｓｂ，Ｍｎ、Ｃａ３Ｓｃ２Ｓｉ３Ｏ１２：Ｃｅ、または、ＳｒＡｌ２Ｏ４：Ｅｕ２＋，Ｄｙ３＋のいずれかであることが好ましい。
【０１４３】
また、蛍光体２１は、特にＬｕ３Ａｌ５Ｏ１２：ＣｅまたはＣａ３Ｓｃ２Ｓｉ３Ｏ１２：Ｃｅのいずれかであることが好ましい。
【０１４４】
また、蛍光体２１は、ＳｒＡｌ２Ｏ４：Ｅｕ２＋，Ｄｙ３＋であることが好ましい。
【０１４５】
ＢａＳｉ２Ｏ２Ｎ２：Ｅｕ、Ｌｕ３Ａｌ５Ｏ１２：Ｃｅ、Ｙ３（Ａｌ，Ｇａ）５Ｏ１２：Ｃｅは青色光の励起効率が高く、Ｓｒ５Ｆ（ＰＯ４）３：Ｓｂ，Ｍｎは発光スペクトルの発光ピーク波長が５００ｎｍ付近で好ましい。特に、Ｌｕ３Ａｌ５Ｏ１２：ＣｅおよびＣａ３Ｓｃ２Ｓｉ３Ｏ１２：Ｃｅは信頼性も高く、発光スペクトルがよりブロードで魚の視認性を上げることができ最も好ましい。
【０１４６】
また、発光ダイオードを後述するようにパルス電流で駆動する場合、ＳｒＡｌ２Ｏ４：Ｅｕ２＋，Ｄｙ３＋のような耐候性に優れた蓄光型の緑色発光蛍光体を使用してもよい。この蛍光体は、吸収スペクトル（励起スペクトル）の吸収ピーク波長が紫外域にあるので、励起効率が多少低下するものの、残光時間が長いため、発光ダイオードの光（青色光）を魚が視認できる程度まで、点灯時間（明期）を短くすることができ、消費電力をより低減することができる。ＳｒＡｌ２Ｏ４：Ｅｕ２＋，Ｄｙ３＋は、５３０ｎｍ〜５４０ｎｍの範囲に発光ピーク波長を有している。
【０１４７】
なお、図６に、後述するＬＥＤチップ２４とＬｕ３Ａｌ５Ｏ１２：Ｃｅ蛍光体とを含む養殖用照明装置の実施例における発光スペクトルを示す。
【０１４８】
また、本実施形態の蛍光体２１の粒子径（粒径）は、１０μｍ程度であるが、これに限定されず、蛍光体の粒径は、５μｍ〜２０μｍの範囲内にあることが好ましい。
【０１４９】
（ＬＥＤチップ２４）
ＬＥＤチップ２４は、４００ｎｍ〜４６０ｎｍの範囲に発光ピーク波長を有する光を放射する発光ダイオードである。
【０１５０】
また、ＬＥＤチップ２４は、光出力が０．１Ｗ、動作電圧が３Ｖ、駆動電流が０．１Ａのものである。
【０１５１】
本実施形態の発光素子６ｃでは、このＬＥＤチップ２４から放射される光、および、上記の複数の蛍光体２１から発せられる蛍光を少なくとも２種類の光として生簀１の水２に放射する構成となっている。
【０１５２】
上記のように、単色のＬＥＤのみでは、魚の視感度に合せた光の放射が困難であるという問題点がある。
【０１５３】
そこで、このような問題点を解決するため、上記の構成では、４００ｎｍ〜４６０ｎｍの範囲に発光ピーク波長を有する光を放射するＬＥＤチップ２４と、ＬＥＤチップ２４が放射する光を受けて、４８０ｎｍ〜５７０ｎｍの範囲（青緑色領域）に発光ピーク波長を有する蛍光を発する蛍光体２１と、を含む構成としている。
【０１５４】
一般に、蛍光体から発せられる蛍光の発光スペクトルは、単色のＬＥＤから放射される光の発光スペクトルよりもブロードである。
【０１５５】
また、上記の構成によれば、ＬＥＤチップ２４から放射される光、および、蛍光体２１から発せられる蛍光が生簀１の水２に放射されるため、放射される光の演色性を高めることができる。
【０１５６】
このため、上記構成によれば、生簀１の水２に放射される光全体の発光スペクトルをよりブロードにすることができるので、魚３の視感度に合せて光を放射することが可能になる。
【０１５７】
また、上記波長範囲の光に対しては、魚３の視感度が高い（視認性が良い）。さらに、生簀１の水２中では光の吸収が起こるため、より効果的に透過する光の波長を選択する必要があるが、上記波長範囲の光は、この波長範囲外の波長の光よりも水中での透過率が高い。
【０１５８】
以上により、発光素子６ｃによれば、上記波長範囲外の波長の光よりもより少ない照度で所期の効果を得られるので、消費電力を低減させ、自然光に加えて人工光を使うことで生じるコストを低減させることも可能となる。
【０１５９】
さらに、４００ｎｍ〜４６０ｎｍの範囲に発光ピーク波長を有する光（青色光）を放射するＬＥＤチップ２４は、効率が高く、また、青色光は、魚の成長率、摂餌率が高まり好ましい。
【０１６０】
また、ＬＥＤチップ２４から生簀１の水２中に放射される光に対する、蛍光体２１から生簀１の水２中に放射される蛍光の光量子束密度の比が２以上であることが好ましい。
【０１６１】
上記のように５００ｎｍ〜５５０ｎｍの範囲に発光ピーク波長を有する光が、最も水２中透過率が高いことと、魚３の視感度が高い。このため、４８０ｎｍ〜５７０ｎｍの範囲に発光ピーク波長を有する蛍光（青緑色領域）がより効果的な波長であるため、上記構成のように、ＬＥＤチップ２４から生簀１の水２中に放射される光に対する、蛍光体２１から生簀１の水２中に放射される蛍光の光量子束密度の比が２以上であることが好ましい。
【０１６２】
なお、発光素子６ｃから放射される光には、赤色成分が含まれていても良いが、効率の点で赤色発光蛍光体を含まないことが好ましい。
【０１６３】
（封止樹脂２２、パッケージ２３）
パッケージ２３は、ＬＥＤチップ２４および蛍光体２１を同一パッケージで実装するための筐体である。また、複数の蛍光体２１は、パッケージ２３の上部に開放された凹部に収容され、封止樹脂２２で封止されている。
【０１６４】
封止樹脂２２は、シリコーン樹脂などの樹脂材料の他、無機ガラスや有機ハイブリッドガラスなどのガラス材で構成する。
【０１６５】
以上のように、本実施形態の発光素子６ｃは、ＬＥＤチップ２４および蛍光体２１を同一パッケージで実装している。このように、ＬＥＤチップ２４および蛍光体２１を同一パッケージで実装すれば、各ＬＥＤチップから放射される光の色を均一に混合することができるので、より好ましい。なお、ＬＥＤチップ２４および蛍光体２１のそれぞれを、独立に実装し、ミラーなどの光学部材によって光学的に結合する構成を採用しても良い。
【０１６６】
（電源７，供給電流制御部８，記憶部９）
次に、電源７は、発光素子６ａ，６ｂ，６ｃに駆動電流を供給するものである。また、供給電流制御部８は、発光素子６ａ，６ｂ，６ｃに供給される駆動電流の制御を行うものである。
【０１６７】
また、記憶部９は、供給電流制御部８による駆動電流の制御に必要なデータ（後述する、発光素子６ａ，６ｂ，６ｃの駆動電流値、パルス電流の周波数、点灯時間）や、その制御プログラムなどが予め記録されている。
【０１６８】
次に、供給電流制御部８は、発光素子６ａ，６ｂ，６ｃに供給される駆動電流をパルス電流とする制御を行うことが好ましい。点滅させることで連続光にｄｕｔｙを掛けた明るさよりも明るく感じることから、消費電力低減の上で好ましい。
【０１６９】
なお、明期と暗期とを明確に区別するため、パルス電流の周波数は１０Ｈｚ以下であることが好ましい。
【０１７０】
また、供給電流制御部８は、夕暮れから明朝の間に、発光素子６ａ，６ｂ，６ｃを点灯させる（発光素子６ａ，６ｂに駆動電流を供給する）制御を行うことが好ましい。
【０１７１】
幼魚は一般的に明期が長いことを好むことから、太陽が沈む夕暮れから明朝の間に人工光として発光素子６ａ，６ｂ，６ｃからの光を放射することが好ましい。
【０１７２】
さらに、供給電流制御部８は、発光素子６ａ，６ｂ，６ｃに駆動電流を供給する期間を一日当たり１２時間以上とする制御を行うことが好ましい。
【０１７３】
冬場など明期が短くなる時期は、発光素子６ａ，６ｂ，６ｃからの光を放射して、明期が１２時間以上になるようにすることで、幼魚の成長率を上げることができ好ましい。
【０１７４】
〔２．養殖装置２０について〕
次に、図５に基づき本発明の養殖装置の他の実施形態である養殖装置２０の構成について説明する。図５は、養殖装置２０の全体構成を示す構成図である。
【０１７５】
同図に示すように、養殖装置２０は、生簀１、支柱４、筐体５ｂ、発光素子６ａ，６ｂ，６ｃ、電源７、供給電流制御部８および記憶部９を備える。
【０１７６】
なお、本実施形態の養殖装置２０が、上記の養殖装置１０と異なる点は、筐体５ｂの構造および発光素子６ａ，６ｂ，６ｃの設置方法のみなので、それ以外の構成については説明を省略する。
【０１７７】
（筐体５ｂ，発光素子６ａ，６ｂ，６ｃ）
本実施形態の筐体５ｂは、透光性を有する樹脂材料またはガラス材などの透光性部材で構成された容器である。筐体５ｂの内部には、発光素子６ａ，６ｂ，６ｃのいずれかが設置される。
【０１７８】
また、同図に示すように、筐体５ｂの内部に設置された発光素子６ａ，６ｂ，６ｃは、生簀１に張られた水２中に設置される。
【０１７９】
このように、養殖領域としての生簀１の水２中に発光素子６ａ，６ｂ，６ｃを設置して水２中から光を放射しても良い。水２中に設置する場合は深さを変えることで魚３の分布を最適化できるのでより好ましい。
【０１８０】
（養殖装置１０，２０の構成と発光素子６ａ，６ｂ，６ｃの構成との関係）
以上の説明では、養殖装置１０，２０における電源７、供給電流制御部８および記憶部９のそれぞれは、発光素子６ａ，６ｂ，６ｃと独立して設けられているものとして説明した。しかしながら、電源７、供給電流制御部８および／または記憶部９は、発光素子６ａ，６ｂ，６ｃと組合せて一体として養殖用照明装置を構成しても良い。
【０１８１】
上記構成によれば、生簀１などの養殖領域を用意し、発光素子６ａ，６ｂ，６ｃからの光を養殖領域に放射できる位置に、上記一体化した養殖用照明装置を設置することで、簡単に魚３を養殖することができる養殖装置を実現できる。
【０１８２】
〔３．魚３について〕
次に、以上で説明した養殖装置１０，２０によって養殖される魚３について説明する。
【０１８３】
養殖装置１０，２０によって養殖される魚３は、幼魚であっても良い。
【０１８４】
これにより、消費電力を低減させ、自然光に加えて人工光を使うことで生じるコストを低減させて、幼魚の養殖が可能となる。
【０１８５】
また、上記幼魚は、孵化後７０日以内であることが好ましい。
【０１８６】
魚にもよるが孵化したあと７０日以内であれば光環境に敏感であり、幼魚は、明るい環境を好み、光をあてることで成長速度が上がる傾向にある。またマグロにおいては衝突死を防ぐことができる。
【０１８７】
また、養殖装置１０，２０によって養殖される魚３は、マグロ属であっても良い。
【０１８８】
マグロ属に関しては、幼魚のとき、光感度が低いことと、動いているものを見分ける時間分解能が低いことから、生簀１などの養殖領域の側壁に衝突し、首の骨を折って大量死する問題があるが、養殖装置１０，２０は、発光素子６ａ，６ｂ，６ｃを備えているので、発光素子６ａ，６ｂ，６ｃから放射される光を照射することにより、マグロの幼魚の衝突死を防ぐことができる。また、消費電力を低減させ、自然光に加えて人工光を使うことで生じるコストを低減させることも可能となる。
【０１８９】
また、養殖装置１０，２０によって養殖される魚３は、アジ科、タイ科、タラ亜科、サケ科、スズキ科、ユメタカノハダイ科、アイゴ科のいずれかであっても良い。
【０１９０】
アジ科、タイ科、タラ亜科、サケ科、スズキ科、ユメタカノハダイ科、アイゴ科の幼魚は明るい環境を好み、発光素子６ａ，６ｂ，６ｃから放射される光により、全般に成長速度が上がる傾向にある。また、消費電力を低減させ、自然光に加えて人工光を使うことで生じるコストを低減させることも可能となる。なお、上記の養殖装置１０，２０は、アジ科のなかではとりわけブリ属（ハマチ、ヒラマサ、ブリ、カンパチ）への使用が有効である。
【０１９１】
〔本発明の別の表現〕
また、本発明は以下のように表現することもできる。
【０１９２】
すなわち、本発明の養殖用照明装置は、４８０ｎｍ〜５２０ｎｍの範囲にピーク波長をもつ発光ダイオードチップを含んでいても良い。
【０１９３】
また、本発明の養殖用照明装置は、４３０ｎｍ〜５５０ｎｍの範囲において、ピーク波長が５ｎｍ以上ことなる複数の発光ダイオードチップを含んでいても良い。
【０１９４】
また、本発明の養殖用照明装置は、４３０ｎｍ〜４８０ｎｍ、４８０ｎｍ〜５５０ｎｍそれぞれの範囲にピークを持つ複数の発光ダイオードチップを含んでいても良い。
【０１９５】
また、本発明の養殖用照明装置は、前記複数の発光ダイオードチップは同一パッケージで実装されていても良い。
【０１９６】
また、本発明の養殖用照明装置は、前記複数の発光ダイオードチップが同一パッケージに実装され、４３０ｎｍ〜４８０ｎｍの発光ダイオードチップよりも４８０ｎｍ〜５５０ｎｍのほうが、チップ数が多くても良い。
【０１９７】
また、本発明の養殖用照明装置は、前記４３０ｎｍ〜４８０ｎｍ、４８０ｎｍ〜５５０ｎｍそれぞれの範囲にピークを持つ複数発光ダイオードにおいて、４８０ｎｍ〜５５０ｎｍにピークを持つ発光ダイオードチップのほうが４３０ｎｍ〜４７０ｎｍにピークをもつ発光ダイオードチップよりも駆動電流が多くても良い。
【０１９８】
また、本発明の養殖用照明装置は、４３０ｎｍ〜４８０ｎｍ、４８０ｎｍ〜５５０ｎｍそれぞれの範囲にピークを持つ複数の発光ダイオードチップはそれぞれ独立に実装され、４８０ｎｍ〜５５０ｎｍにピークを持つ発光ダイオード数のほうが、４３０ｎｍ〜４８０ｎｍにピークを持つ発光ダイオード数よりも多くても良い。
【０１９９】
また、本発明の養殖用照明装置は、４００ｎｍ〜４６０ｎｍの発光ダイオードチップで４８０ｎｍ〜５７０ｎｍにピークをもつ蛍光体を励起した発光ダイオードを含んでいても良い。
【０２００】
また、本発明の養殖用照明装置は、前記蛍光体はＢａＳｉ２Ｏ２Ｎ２：Ｅｕ、Ｌｕ３Ａｌ５Ｏ１２：Ｃｅ、Ｙ３（Ａｌ，Ｇａ）５Ｏ１２：Ｃｅ、Ｙ３Ａｌ５Ｏ１２：Ｃｅ、Ｓｒ５Ｆ（ＰＯ４）３：Ｓｂ，Ｍｎ、Ｃａ３Ｓｃ２Ｓｉ３Ｏ１２：Ｃｅのいずれかであっても良い。
【０２０１】
また、本発明の養殖用照明装置は、前記蛍光体はＬｕ３Ａｌ５Ｏ１２：Ｃｅ、もしくはＣａ３Ｓｃ２Ｓｉ３Ｏ１２：Ｃｅであっても良い。
【０２０２】
また、本発明の養殖用照明装置は、前記蛍光体はＳｒＡｌ２Ｏ４：Ｅｕ２＋，Ｄｙ３＋であっても良い。
【０２０３】
また、本発明の養殖用照明装置は、発光ダイオードチップによる透過光に対する蛍光体から放出した光の光量子束密度の比が２以上であっても良い。
【０２０４】
また、本発明の養殖用照明装置は、前記発光ダイオードはパルスで駆動しても良い。
【０２０５】
また、本発明の養殖用照明装置は、前記パルスの周波数は１０Ｈｚ以下であっても良い。
【０２０６】
また、本発明の養殖用照明装置は、前記発光ダイオードチップ、もしくは蛍光体を含む発光ダイオードは魚の幼魚に照射されても良い。
【０２０７】
また、本発明の養殖用照明装置は、前記幼魚は孵化後７０日以内であっても良い。
【０２０８】
また、本発明の養殖用照明装置は、前記魚はマグロ属であっても良い。
【０２０９】
また、本発明の養殖用照明装置は、前記魚はアジ科、タイ科、タラ亜科、サケ科、スズキ科、ユメタカノハダイ科、アイゴ科のいずれかであっても良い。
【０２１０】
また、本発明の養殖用照明装置は、前記発光ダイオードチップ、もしくは蛍光体を含む発光ダイオードは水中に設置されても良い。
【０２１１】
また、本発明の養殖用照明装置は、前記発光ダイオードチップ、もしくは蛍光体を含む発光ダイオードは夕暮れから明朝の間に照射させても良い。
【０２１２】
また、本発明の養殖用照明装置は、前記前記発光ダイオードチップ、もしくは蛍光体を含む発光ダイオードは夕暮れから明朝の間に照射させることによって暗期よりも明期が長くても良い。
【０２１３】
〔付記事項〕
なお、本発明は、上述した実施形態に限定されるものではなく、請求項に示した範囲で種々の変更が可能であり、異なる実施形態にそれぞれ開示された技術的手段を適宜組合せて得られる実施形態についても本発明の技術的範囲に含まれる。
【産業上の利用可能性】
【０２１４】
本発明の養殖用照明装置および養殖装置は、消費電力を低減させ、自然光に加えて人工光を使うことで生じるコストを低減させることができるので、養殖用照明装置および養殖装置として有用である。
【符号の説明】
【０２１５】
１  生簀（養殖領域）
２  水
３  魚
４  支柱
５ａ  筐体
５ｂ  筐体
６ａ，６ｂ，６ｃ  発光素子
７  電源
８  供給電流制御部
９  記憶部
１０  養殖装置
１１  第１ＬＥＤ素子群（第１発光ダイオード群）
１２  第２ＬＥＤ素子群（第２発光ダイオード群）
１３  アノード電極
１４  金
１５  カソード電極
１６  配線
１７，１７ａ，１７ｂ  パッド電極（アノード）
１８，１８ａ，１８ｂ  パッド電極（カソード）
１９  セラミック基板
２０  養殖装置
２１  蛍光体
２２  封止樹脂
２３  パッケージ
２４  ＬＥＤチップ（発光ダイオード）
【図１】
2013102731.tif 000003
【図２】
2013102731.tif 000004
【図３】
2013102731.tif 000005
【図４】
2013102731.tif 000006
【図５】
2013102731.tif 000007
【図６】
2013102731.tif 000008